(57)【要約】【課題】顧客を有効に招き入れ可能となる来客検知装置付き遊戯機を提供する。【解決手段】遊戯機と、来客検知装置とを含む来客検知装置付き遊戯機において、前記遊戯機は、少なくとも、ディスプレイと、スピーカと、制御パネルと、遊戯プログラムと、ＣＰＵと、回路基板とを有し、前記来客検知装置は前記回路基板に接続され、前記遊戯機の正面に設置され、顧客を検知したときに、検知信号をＣＰＵに送信して、顧客招き入れプログラムを起動して、ディスプレイおよびスピーカを起動して、来客歓迎の画面を表示かつ音声を発生させることを特徴とする、来客検知装置付き遊戯機による。【選択図】図２
0003123694.tif 000002
【実用新案登録請求の範囲】
【請求項１】
ディスプレイ、スピーカ、制御パネル、回路基板、遊戯プログラム、ＣＰＵ、および来客検知装置を少なくとも備える来客検知装置付き遊戯機において、
前記来客検知装置が前記回路基板に接続され、前記遊戯機の正面に設置されており、顧客を検知したときに、検知信号を前記ＣＰＵに送信し、顧客招き入れプログラムを起動させ、ディスプレイおよびスピーカを起動させて来客歓迎の画面を表示かつ音声を発生させることを特徴とする、
来客検知装置付き遊戯機。
【請求項２】
前記来客検知装置は、顧客と遊戯機との間の距離を測定可能であり、前記距離の信号を前記ＣＰＵに送信することを特徴とする、請求項１に記載の来客検知装置付き遊戯機。
【請求項３】
前記来客検知装置は、１つの赤外線発射器と、少なくとも２つの赤外線接収器とを有し、第一の赤外線接収器が距離の離れた顧客を検知し、第二の赤外線接収器が距離の近い顧客を検知することを特徴とする、請求項１または２に記載の来客検知装置付き遊戯機。
【請求項４】
前記第一の赤外線接収器は、検知の必要な距離に応じて、追加および／または拡張することが可能であることを特徴とする、請求項３に記載の来客検知装置付き遊戯機。
【請求項５】
前記赤外線発射器から発射された信号はコーダによって符号化されたものであり、赤外線接収器は前記符号化された信号を接収し、前記信号をデコーダにより復号化してＣＰＵに入力することを特徴とする、請求項３または４に記載の来客検知装置付き遊戯機。
【請求項６】
下記ステップを順に実行する顧客招き入れプログラムを備えることを特徴とする、請求項１〜５のいずれか１に記載の来客検知装置付き遊戯機：
通常のデモ画面を表示するステップ１と、
顧客を検知し、顧客のいない場合には上記ステップ１に戻り、顧客のいる場合には次のステップに進むステップ２と、
来客歓迎の画面および音声を起動するステップ３と、
前記顧客が留まっているかを確認し、顧客が留まっていない場合にはステップ１に戻り、顧客が留まっている場合には次のステップに進むステップ４と、
宣伝画面を表示するステップ５と、
顧客が近づいたか否かを判断し、顧客が近づいていない場合にはステップ１に戻り、顧客が近づいた場合には次のステップに進むステップ６と、
遊戯の内容および遊戯の仕方を紹介するステップ７と、
顧客が遊戯を開始したかを判断し、顧客が遊戯を開始していない場合にはステップ６に戻り、顧客が遊戯を開始した場合には次のステップに入るステップ８と、
遊戯プログラムを実行するステップ９と、
遊戯が終了したかを判断し、遊戯が終了していない場合にはステップ９を継続し、遊戯が終了した場合には次のステップに入るステップ１０と、
来客を感謝する画面を表示かつ音声を発生するステップ１１と、
通常のデモ画面に戻るステップ１２。
【請求項７】
前記来客を感謝する画面および音声は、来客に注意を促す内容を含むことを特徴とする、請求項６に記載の来客検知装置付き遊戯機。
【考案の詳細な説明】
【技術分野】
【０００１】
本考案は、来客検知装置付き遊戯機に関し、特に、来客検知装置により顧客を検知して顧客を招き入れるための画面を表示かつ音声を発生させることのできる来客検知装置付き遊戯機に関する。
【背景技術】
【０００２】
遊戯場等において、売り上げを増加するために、数十台から数百台の遊戯機を一つの遊戯場所に設置することは一般的なことであり、いかにして大勢の遊戯客を招き入れるかは本分野の業者にとって、大きな課題である。通常の遊戯客の招き入れは、遊戯機の外観、遊戯の内容、独特な音声／光線の変化等を設計することにより行われ、これにより遊戯客を招き入れることに成功している。
【０００３】
しかしながら従来の遊戯機は、待機状態にある場合、デモ画面および音声を繰り返して表示かつ発するだけである。多数の遊戯機が一つの遊戯場所に集中して設置されたことにより、デモ音声は各々混ざってしまって不明確な騒音となり、期待される遊戯客の招き入れ効果が達成できないと共に、遊戯中の遊戯客に対しても悪い影響を与えてしまう。
【考案の開示】
【考案が解決しようとする課題】
【０００４】
本考案の主な目的は、顧客を有効に招き入れることを可能とする来客検知装置付き遊戯機を提供することである。
【課題を解決するための手段】
【０００５】
すなわち、本発明は以下よりなる。
１．ディスプレイ、スピーカ、制御パネル、回路基板、遊戯プログラム、ＣＰＵ、および来客検知装置を少なくとも備える来客検知装置付き遊戯機において、
前記来客検知装置が前記回路基板に接続され、前記遊戯機の正面に設置されており、顧客を検知したときに、検知信号を前記ＣＰＵに送信し、顧客招き入れプログラムを起動させ、ディスプレイおよびスピーカを起動させて来客歓迎の画面を表示かつ音声を発生させることを特徴とする、
来客検知装置付き遊戯機。
２．前記来客検知装置は、顧客と遊戯機との間の距離を測定可能であり、前記距離の信号を前記ＣＰＵに送信することを特徴とする、前項１に記載の来客検知装置付き遊戯機。
３．前記来客検知装置は、１つの赤外線発射器と、少なくとも２つの赤外線接収器とを有し、第一の赤外線接収器が距離の離れた顧客を検知し、第二の赤外線接収器が距離の近い顧客を検知することを特徴とする、前項１または２に記載の来客検知装置付き遊戯機。
４．前記第一の赤外線接収器は、検知の必要な距離に応じて、追加および／または拡張することが可能であることを特徴とする、前項３に記載の来客検知装置付き遊戯機。
５．前記赤外線発射器から発射された信号はコーダによって符号化されたものであり、赤外線接収器は前記符号化された信号を接収し、前記信号をデコーダにより復号化してＣＰＵに入力することを特徴とする、前項３または４に記載の来客検知装置付き遊戯機。
６．下記ステップを順に実行する顧客招き入れプログラムを備えることを特徴とする、前項１〜５のいずれか１に記載の来客検知装置付き遊戯機：
通常のデモ画面を表示するステップ１と、
顧客を検知し、顧客のいない場合には上記ステップ１に戻り、顧客のいる場合には次のステップに進むステップ２と、
来客歓迎の画面および音声を起動するステップ３と、
前記顧客が留まっているかを確認し、顧客が留まっていない場合にはステップ１に戻り、顧客が留まっている場合には次のステップに進むステップ４と、
宣伝画面を表示するステップ５と、
顧客が近づいたか否かを判断し、顧客が近づいていない場合にはステップ１に戻り、顧客が近づいた場合には次のステップに進むステップ６と、
遊戯の内容および遊戯の仕方を紹介するステップ７と、
顧客が遊戯を開始したかを判断し、顧客が遊戯を開始していない場合にはステップ６に戻り、顧客が遊戯を開始した場合には次のステップに入るステップ８と、
遊戯プログラムを実行するステップ９と、
遊戯が終了したかを判断し、遊戯が終了していない場合にはステップ９を継続し、遊戯が終了した場合には次のステップに入るステップ１０と、
来客を感謝する画面を表示かつ音声を発生するステップ１１と、
通常のデモ画面に戻るステップ１２。
７．前記来客を感謝する画面および音声は、来客に注意を促す内容を含むことを特徴とする、前項６に記載の来客検知装置付き遊戯機。
【考案の効果】
【０００６】
本考案に係る来客検知装置付き遊戯機によれば、来客検知装置によって顧客を検知して顧客招き入れプログラムを順に実行することにより、遊戯客を有効に招き入れることが可能となるという効果を奏する。
【考案を実施するための最良の形態】
【０００７】
以下、添付図面を参照して本考案の好適な実施の形態を詳細に説明する。
【０００８】
まず、図１を参照する。各遊戯機１０の正面には来客検知装置２０が設けられている。
【０００９】
本考案に係る来客検知装置付き遊戯機１０は、さらにディスプレイ１１と、スピーカと、制御パネル１２と、遊戯プログラムと、ＣＰＵと、回路基板とを具備する。
【００１０】
次に、図２を参照する。来客検知装置２０は、１つの赤外線発射器（赤外線発射ダイオード）２１と、少なくとも２つの赤外線接収器（赤外線接収ダイオード）２２１，２２２と、遊戯機１０の内部の回路基板に接続された接続ポート（出力インターフェース）２３とを有する。来客検知装置２０は、遊戯機１０の正面に組み付けられ、顧客２５を検知したときに、検知信号をＣＰＵ２４に送信して、図３に示すような顧客招き入れプログラムを起動し、ディスプレイ１１およびスピーカを起動して来客歓迎の画面を表示かつ音声を発生させる。
【００１１】
前記来客検知装置２０において、第一の赤外線接収器２２１は、より離れた距離の顧客を検知し、第二の赤外線接収器２２２はより近い距離の顧客を検知する。前記第一の赤外線接収器２２１は、検知が必要な距離に応じて、追加および／または拡張することが可能である。
【００１２】
また、前記赤外線発射器２１から発射した信号はコーダ２６によって符号化された信号である。２つの赤外線接収器２２１，２２２は前記符号化された信号を接収し、その信号は増幅器（ＡＭＰ１，２）、フィルタ、信号デコーダ、信号検知器を順に経由して、当該信号はデコーダ２７により復号されて、ＣＰＵ２４に入力される。上記符号化および復号化のプロセスにより、隣接する遊戯機の信号は互いに混同せずに適切に機能することができる。
【００１３】
来客検知装置２０の顧客招き入れプログラムは、図３に示されるようなステップを有する。各ステップは、通常のデモ画面を表示するステップ１と、顧客を検知し、顧客のいない場合には上記ステップ１に戻り、顧客がいる場合には次のステップに入るステップ２と、来客歓迎の画面および音声を起動するステップ３と、前記顧客が留まっているかを判断し、顧客が留まっていない場合にはステップ１に戻り、顧客が留まっている場合には次のステップに入るステップ４と、宣伝画面を表示するステップ５と、顧客が近づいたかを検知し、顧客が近づいていない場合にはステップ１に戻り、顧客が近づいた場合には次のステップに入るステップ６と、遊戯の内容および遊戯の仕方を紹介するステップ７と、顧客が遊戯を開始したかを判断し、顧客が遊戯を開始していない場合にはステップ６に戻り、顧客が遊戯を開始した場合には次のステップに入るステップ８と、遊戯プログラムを実行するステップ９と、遊戯が終了したかを判断し、遊戯が終了していない場合にはステップ９を継続し、遊戯が終了した場合には次のステップに入るステップ１０と、来客を感謝する画面を表示しかつ音声を発生させるステップ１１と、通常のデモ画面に戻るステップ１２であり、これらのステップは当該顧客招き入れプログラムにおいて順に実行される。
【００１４】
次に、図４−１〜６を参照して本考案の装置の動作を詳細に説明する。図４−１においては、顧客と遊戯機１０の距離が第一の赤外線接収器２２１の接収範囲より大きいため、遊戯機は通常ののデモ画面を表示する。図４−２においては、顧客と遊戯機１０の距離が第一の赤外線接収器２２１の接収範囲より小さいので、第一の赤外線接収器が接収した信号はＣＰＵ２４に送信されて、来客歓迎の画面および音声が起動される。図４−３に示すように、来客歓迎の画面と音声を突然表示かつ発生させることにより、顧客の注意を引き、顧客が遊戯機１０に近づくことが期待される。顧客が遊戯機１０に近づき留まる場合には、ディスプレイ１１が宣伝画面を表示する。顧客が前記宣伝画面に注意を向けて、遊戯機１０にさらに近づいたことにより、顧客が第二の赤外線接収器２２２の接収範囲よりも内側に近づいた場合には、図４−５に示すように、ディスプレイ１１に遊戯内容および遊戯の仕方の説明を表示する。顧客が遊戯を行うと決めた場合には、図４−６に示すように、遊戯が開始される。遊戯が終了した場合には、遊戯機は来客を感謝する画面を表示かつ音声を発生し（例えば、「また来てね」など）、前記来客を感謝する画面および音声は来客の注意を促す内容（例えば、「お忘れ物のないようご注意下さい」など）を含んでもよい。
【００１５】
このように、本考案を特定の例を参照して説明したが、これらの例は説明のためだけのものであり、本考案を限定するものではなく、当該技術分野において通常の知識を有する者には、本考案の精神および範囲を逸脱することなく、ここで開示された実施例に変更、追加、または、削除を施してもよいことが理解されるであろう。
【図面の簡単な説明】
【００１６】
【図１】本考案に係る来客検知装置付き遊戯機が複数設置された状態を示す概略図である。
【図２】本考案に係る来客検知装置付き遊戯機の来客検知装置のブロック図である。
【図３】本考案に係る来客検知装置付き遊戯機のプログラムのフローチャートである。
【図４】本考案の作動状態を説明する図である。
【符号の説明】
【００１７】
１０      遊戯機
１１      ディスプレイ
１２      制御パネル
２０      来客検知装置
２１      赤外線発射器
２２１，２２２    赤外線接収器
２３      接続ポート
２４      ＣＰＵ
２５      顧客
２６      コーダ
２７      デコーダ
【図１】
0003123694.tif 000003
【図２】
0003123694.tif 000004
【図３】
0003123694.tif 000005
【図４】
0003123694.tif 000006
【手続補正書】
【提出日】平成18年5月18日(2006.5.18)
【手続補正１】
【補正対象書類名】実用新案登録請求の範囲
【補正対象項目名】全文
【補正方法】変更
【補正の内容】
【実用新案登録請求の範囲】
【請求項１】
ディスプレイ、スピーカ、制御パネル、回路基板、遊戯プログラム、ＣＰＵ、および来客検知装置を少なくとも備える来客検知装置付き遊戯機において、
前記来客検知装置が前記回路基板に接続され、前記遊戯機の正面に設置されており、顧客を検知したときに、検知信号を前記ＣＰＵに送信し、顧客招き入れプログラムを起動させ、ディスプレイおよびスピーカを起動させて来客歓迎の画面を表示かつ音声を発生させることを特徴とする、
来客検知装置付き遊戯機。
【請求項２】
前記来客検知装置は、顧客と遊戯機との間の距離を測定可能であり、前記距離の信号を前記ＣＰＵに送信することを特徴とする、請求項１に記載の来客検知装置付き遊戯機。
【請求項３】
前記来客検知装置は、１つの赤外線発射器と、少なくとも２つの赤外線接収器とを有し、第一の赤外線接収器が距離の離れた顧客を検知し、第二の赤外線接収器が距離の近い顧客を検知することを特徴とする、請求項１または２に記載の来客検知装置付き遊戯機。
【請求項４】
前記第一の赤外線接収器は、検知の必要な距離に応じて、追加および／または拡張することが可能であることを特徴とする、請求項３に記載の来客検知装置付き遊戯機。
【請求項５】
前記赤外線発射器から発射された信号はコーダによって符号化されたものであり、赤外線接収器は前記符号化された信号を接収し、前記信号をデコーダにより復号化してＣＰＵに入力することを特徴とする、請求項３または４に記載の来客検知装置付き遊戯機。